(57)【要約】【課題】端末装置が特定の通信エリアを通過するだけで、その端末装置にミリ波高速無線通信を介してデータを送信することを可能とする。【解決手段】無線通信部１４ａ〜１４ｄは、それぞれ、アンテナ３６ａ〜３６ｄを使用して、特定の通信エリアであるゲート５０内を通過する端末装置２０との間でＷｉＧｉｇ回線による無線送受信を行う。医療情報格納部３５は、端末装置２０に送信しようとする健診結果等の医療情報データを、識別情報である患者ＩＤと対応付けて格納する。制御部３１は、ゲート５０内を通過中の端末装置２０に記憶されている患者ＩＤ（識別情報）およびパスワード情報を取得して、パスワード情報が正しいことを確認した後に、取得した患者ＩＤに対応したデータを医療情報格納部３５から読み出して端末装置２０に送信するよう無線送受信部１４ａ〜１４ｄを制御する。【選択図】図３
2018163485.tif 000002
【特許請求の範囲】
【請求項１】
特定の通信エリア内の端末装置との間でミリ波高速無線通信を行う無線送受信手段と、
送信しようとするデータを識別情報と対応付けて格納する格納手段と、
特定の通信エリアを通過中の端末装置に記憶されている識別情報を取得して、取得した当該識別情報に対応したデータを前記格納手段から読み出して当該端末装置に送信するよう前記無線送受信手段を制御する制御手段と、
を備えたデータ送信システム。
【請求項２】
前記特定の通信エリアが、端末装置を所持した使用者が通過するためのゲートの内側であり、
前記ゲートの少なくとも２ヶ所以上にミリ波高速無線通信の電波を送受信するためのアンテナが設けられている請求項１記載のデータ送信システム。
【請求項３】
前記アンテナの向きを変更する変更手段をさらに備え、
前記制御手段は、前記変更手段により前記アンテナの向きを連続的に変化させることにより通信相手となる端末装置の方向を特定し、特定した該方向に前記アンテナが向くよう前記変更手段を制御する請求項２記載のデータ送信システム。
【請求項４】
前記制御手段は、方向が特定された端末装置との間でデータの送受信が行われている間は、当該端末装置との間で電波の送受信を行うアンテナ以外のアンテナの動作を停止する請求項３記載のデータ送信システム。
【請求項５】
前記無線送受信手段を介して前記端末装置に送信するデータは、当該端末装置を所持している使用者に関する医療情報である請求項１から４のいずれか記載のデータ送信システム。
【請求項６】
前記無線送受信手段を介して前記端末装置に送信するデータには、当該端末装置を所持している使用者に関する医療静止画像データまたは医療動画像データが含まれる請求項５記載のデータ送信システム。
【請求項７】
特定の通信エリアを通過中の端末装置に記憶されている識別情報を取得するステップと、
送信しようとするデータを識別情報と対応付けて格納する格納手段から、取得した当該識別情報に対応したデータを読み出すステップと、
読み出したデータを、ミリ波高速無線通信により前記端末装置に送信するステップとをコンピュータに実行させるためのプログラム。
【発明の詳細な説明】
【技術分野】
【０００１】
本発明は、データ送信システムおよびプログラムに関する。
【背景技術】
【０００２】
特許文献１には、複数の無線通信機が施設内に設置され、各無線通信機が６０ＧＨｚの電波を使用して指向性操向可能アンテナにより無線送信を行う無線通信システムが開示されている。
【先行技術文献】
【特許文献】
【０００３】
【特許文献１】特開２０１１−１３９４３０号公報
【発明の概要】
【発明が解決しようとする課題】
【０００４】
本発明の目的は、端末装置が特定の通信エリアを通過するだけで、その端末装置にミリ波高速無線通信を介してデータを送信することが可能なデータ送信システムおよびプログラムを提供することである。
【課題を解決するための手段】
【０００５】
［データ送信システム］
請求項１に係る本発明は特定の通信エリア内の端末装置との間でミリ波高速無線通信を行う無線送受信手段と、
送信しようとするデータを識別情報と対応付けて格納する格納手段と、
特定の通信エリアを通過中の端末装置に記憶されている識別情報を取得して、取得した当該識別情報に対応したデータを前記格納手段から読み出して当該端末装置に送信するよう前記無線送受信手段を制御する制御手段とを備えたデータ送信システムである。
【０００６】
請求項２に係る本発明は、前記特定の通信エリアが、端末装置を所持した使用者が通過するためのゲートの内側であり、
前記ゲートの少なくとも２ヶ所以上にミリ波高速無線通信の電波を送受信するためのアンテナが設けられている請求項１記載のデータ送信システムである。
【０００７】
請求項３に係る本発明は、前記アンテナの向きを変更する変更手段をさらに備え、
前記制御手段は、前記変更手段により前記アンテナの向きを連続的に変化させることにより通信相手となる端末装置の方向を特定し、特定した該方向に前記アンテナが向くよう前記変更手段を制御する請求項２記載のデータ送信システムである。
【０００８】
請求項４に係る本発明は、前記制御手段が、方向が特定された端末装置との間でデータの送受信が行われている間は、当該端末装置との間で電波の送受信を行うアンテナ以外のアンテナの動作を停止する請求項３記載のデータ送信システムである。
【０００９】
請求項５に係る本発明は、前記無線送受信手段を介して前記端末装置に送信するデータが、当該端末装置を所持している使用者に関する医療情報である請求項１から４のいずれか記載のデータ送信システムである。
【００１０】
請求項６に係る本発明は、前記無線送受信手段を介して前記端末装置に送信するデータには、当該端末装置を所持している使用者に関する医療静止画像データまたは医療動画像データが含まれる請求項５記載のデータ送信システムであるである。
【００１１】
［プログラム］
請求項７に係る本発明は、特定の通信エリアを通過中の端末装置に記憶されている識別情報を取得するステップと、
送信しようとするデータを識別情報と対応付けて格納する格納手段から、取得した当該識別情報に対応したデータを読み出すステップと、
読み出したデータを、ミリ波高速無線通信により前記端末装置に送信するステップとをコンピュータに実行させるためのプログラムである。
【発明の効果】
【００１２】
請求項１に係る本発明によれば、端末装置が特定の通信エリアを通過するだけで、その端末装置にミリ波高速無線通信を介してデータを送信することが可能なデータ送信システムを提供することができる。
【００１３】
請求項２に係る本発明によれば、端末装置を所持した使用者がゲートの内側を通過するだけで、その端末装置にミリ波高速無線通信を介してデータを送信することが可能なデータ送信システムを提供することができる。
【００１４】
請求項３に係る本発明によれば、通信方向が固定された複数のアンテナを用いて無線通信を行う場合と比較して、ゲートに設置する必要があるアンテナの数を削減することが可能なデータ送信システムを提供することができる。
【００１５】
請求項４に係る本発明によれば、複数のアンテナにより送信された電波による干渉を発生させることなく、端末装置にデータを送信することが可能なデータ送信システムを提供することができる。
【００１６】
請求項５に係る本発明によれば、端末装置が特定の通信エリアを通過するだけで、その端末装置にミリ波高速無線通信を介して医療情報を送信することが可能なデータ送信システムを提供することができる。
【００１７】
請求項６に係る本発明によれば、端末装置が特定の通信エリアを通過するだけで、その端末装置にミリ波高速無線通信を介して、医療静止画像データまたは医療動画データが含まれる医療情報を送信することが可能なデータ送信システムを提供することができる。
【００１８】
請求項７に係る本発明によれば、端末装置が特定の通信エリアを通過するだけで、その端末装置にミリ波高速無線通信を介してデータを送信することが可能なプログラムを提供することができる。
【図面の簡単な説明】
【００１９】
【図１】本発明の一実施形態の医療情報転送システムにより医療情報の転送が行われる様子を説明するための図である。
【図２】本発明の一実施形態における医療会議システム１０のハードウェア構成を示すブロック図である。
【図３】本発明の一実施形態における医療会議システム１０の機能構成を示すブロック図である。
【図４】アンテナ３６ａとアンテナ方向変更装置１７ａにより構成されるアンテナ装置４０ａの外観の一例を示す図である。
【図５】図４に示したアンテナ装置４０ａのカバーを外した状態を示す図である。
【図６】医療情報格納部３５に格納される医療情報の一例を示す図である。
【図７】本発明の一実施形態の医療情報転送システム１０における動作を説明するためのフローチャートである。
【図８】端末装置２０を所持したユーザがゲートを通過した際に、アンテナ装置４０ｂにおいて返信パケットが受信された場合の様子を説明するための図である。
【図９】図７のフローチャートのステップＳ１０６において説明した端末装置２０への医療情報の送信処理の詳細を説明するためのフローチャートである。
【図１０】ゲート５０を通過することにより健診結果が端末装置２０に送信されて、母子手帳の情報が更新される様子の一例を示す図である。
【発明を実施するための形態】
【００２０】
次に、本発明の実施の形態について図面を参照して詳細に説明する。
【００２１】
本発明の一実施形態の医療情報転送システムは、電子化された母子健康手帳（以下、母子手帳と省略する。）に、健診結果、診察結果等の医療情報を送信するためのものである。
【００２２】
本実施形態の医療情報転送システムでは、スマートフォン（以下、スマホと略す。）、タブレット端末等の移動可能な端末装置に専用のアプリケーションプログラムをインストールすることにより、この端末装置を母子手帳として用いるようにしている。
【００２３】
このような電子化された母子手帳を利用する母親が、スマホ等の端末装置を持って病院に行き乳幼児健診を受けたような場合、母子手帳に健診結果情報を追加する必要がある。
【００２４】
スマホ等の端末装置にデータ転送を行う方式としては、Ｆｅｌｉｃａ（登録商標）等の近接無線通信を用いた方式がある。しかし、このような近接無線通信を用いて健診結果情報をスマホに転送を行うようにしたとしても、母親は、スマホをバッグ等から取り出して書込み装置がある場所にかざす等の動作が必要となる。そのため、乳児を抱きかかえている母親等にとっては、両手がふさがっているような状態でスマホをバッグ等から取り出して、書込み装置にある場所にかざさなければならず使い勝手が悪い場合がある。
【００２５】
また、健診結果等の医療情報をスマホに転送する際に、Ｗｉ−Ｆｉ（登録商標）等の無線ＬＡＮ（Local Area Network）を利用することも考えられる。しかし、Ｗｉ−Ｆｉの電波は広いエリアに届いてしまうため、セキュリティ上の問題が発生する可能性がある。さらに、従来のＷｉ−Ｆｉを用いたデータ転送では、胎児のエコー動画像、解像度の高い静止画像のようなデータ容量の大きなデータを転送しようとすると転送時間が長くなってしまいスムーズにデータ転送が行えないという問題がある。
【００２６】
そこで、本実施形態の医療情報転送システムでは、ＷｉＧｉｇ（登録商標）と呼ばれるミリ波高速無線通信を利用してスマホ等の端末装置に健診結果等の医療情報を転送するようにしている。しかし、このＷｉＧｉｇ（Wireless Gigabit）無線通信では、搬送周波数として６０ＧＨｚという高い周波数の電波を用いるため、送信電波の直進性が高く指向性が鋭いため、広範囲の端末装置との通信を行うことができない。そのため、本実施形態の医療情報転送システムでは、電波の送受信方向を変更することが可能なアンテナ装置をゲートに設置して、母子手帳として利用するスマホを保持した母親がこのゲートを通過するだけで健診結果等の医療情報の更新を可能とする。
【００２７】
先ず、本実施形態の医療情報転送システムにより医療情報の転送が行われる様子を図１に示す。図１では、４つのアンテナ装置４０ａ〜４０ｄがゲート５０に設置されている。また、ゲート５０には、データを送信中であることを報知するためのＬＥＤランプ６０が設けられている。
【００２８】
そして、４つのアンテナ装置４０ａ〜４０ｄは、上述したＷｉＧｉｇ通信を行うためのものであり、通信相手となる端末装置２０が検出されるまでゲート５０の内側においてアンテナ方向を常時変更しつつ探索を行っている。
【００２９】
このゲート５０は、例えば病院の会計が行われる場所に設置されており、健診や診察が終わったユーザが通過する場所に設けられている。なお、乳幼児の医療費免除制度等が行われており、乳幼児健診等の費用が無料となっているような場合には、病院の出口、小児科エリアから出る際にかならず通行する場所等にゲート５０を設けるようにしても良い。
【００３０】
そして、母子手帳として機能するスマホ等の端末装置２０をカバン等に入れたままの母親がこのゲート５０を通過すると、ＷｉＧｉｇ通信を介して、健診結果等の医療情報が端末装置２０に送信される。なお、医療情報が送信される際の詳細な処理については後述する。
【００３１】
次に、本実施形態の医療情報転送システム１０のハードウェア構成を図２を参照して説明する。
【００３２】
本実施形態の医療情報転送システム１０は、図２に示されるように、ＣＰＵ１１、メモリ１２、ハードディスクドライブ（ＨＤＤ）等の記憶装置１３、ＷｉＧｉｇ通信規格に基づく無線通信を行う無線通信部１４、タッチパネル又は液晶ディスプレイ並びにキーボードを含むユーザインタフェース（ＵＩ）装置１５、アンテナ方向を変更するための機構であるアンテナ方向変更装置１７を有する。これらの構成要素は、制御バス１８を介して互いに接続されている。
【００３３】
なお、図２では、無線通信部１４およびアンテナ方向変更装置１７はそれぞれ１つ設けられた構成となっているが、後述するように、無線通信部１４およびアンテナ方向変更装置１７は同じ構成のものがそれぞれ４つずつ設けられている。
【００３４】
ＣＰＵ１１は、メモリ１２または記憶装置１３に格納された制御プログラムに基づいて所定の処理を実行して、医療情報転送システム１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３５】
図３は、上記の制御プログラムが実行されることにより実現される医療情報転送システム１０の機能構成を示すブロック図である。
【００３６】
本実施形態の医療情報転送システム１０は、図３に示されるように、４つの無線通信部（ＷｉＧｉｇ）１４ａ〜１４ｄと、４つのアンテナ方向変更装置１７ａ〜１７ｄと、制御部３１と、医療情報格納部３５と、ミリ波高速無線通信であるＷｉＧｉｇ無線通信を行うための４つのアンテナ３６ａ〜３６ｄとを備えている。
【００３７】
アンテナ方向変更装置１７ａ〜１７ｄは、制御部３１により制御されて、それぞれ、アンテナ３６ａ〜３６ｄの方向（最大ゲイン方向）を機械的に変更するための構造を有する。
【００３８】
このアンテナ３６ａ〜３６ｄとアンテナ方向変更装置１７ａ〜１７ｄとにより、アンテナ装置４０ａ〜４０ｄが構成される。図４では、このアンテナ装置４０ａ〜４０ｄのうちの、アンテナ装置４０ａの構造が図示されている。
【００３９】
そして、このアンテナ装置４０ａのカバーを外した状態を図５に示す。この図５では、アンテナ方向変更装置１７ａがアンテナ３６ａを前後左右の３６０度方向に機械的に傾けることにより、アンテナ３６ａの向きを変更する様子が示されている。
【００４０】
無線通信部１４ａ〜１４ｄは、それぞれ、アンテナ３６ａ〜３６ｄを使用して、特定の通信エリアであるゲート５０内を通過する端末装置２０との間でＷｉＧｉｇ回線による無線送受信を行う。
【００４１】
なお、本実施形態では、特定の通信エリアが、端末装置２０を所持したユーザ（使用者）が通過するためのゲート５０の内側である場合を用いて説明するが、端末装置２０を所持したユーザが通過することが予め分かっている場所、エリア等であれば特定の通信エリアとして用いることが可能である。
【００４２】
なお、本実施形態では、４つのアンテナ装置４０ａ〜４０ｄがゲートに設けられているが、本実施形態のようにユーザが通過する場所にゲート５０を設けて医療情報を送信するような場合には、このゲート５０の少なくとも２ヶ所以上にＷｉＧｉｇ通信の電波を送受信するためのアンテナ装置４０が設けられていれば通信可能である。
【００４３】
ただし、ゲート５０の左右側にもアンテナ装置４０を設けた方が通信精度の向上を図ることが可能であり、図１に示した例では、アンテナ装置４０ｂ、４０ｄがゲート５０の左右側に設けられている。ただし、このようにゲート５０の左右側にもアンテナ装置４０を設ける場合には、ゲート５０の柱の構造を、反対側の柱のアンテナ装置４０からの電波を遮断するような構造とすることがセキュリティの観点上望ましい。つまり、アンテナ装置４０から送信された電波が、ゲート５０の外部に届かないような構造とすることが望ましい。
【００４４】
なお、以下の説明において、無線通信部１４ａ〜１４ｄ、アンテナ方向変更装置１７ａ〜１７ｄ、アンテナ３６ａ〜３６ｄ、アンテナ装置４０ａ〜４０ｄを説明する際に、４つのうちのいずれかを特定せずに説明する場合には、それぞれ、無線通信部１４、アンテナ方向変更装置１７、アンテナ３６、アンテナ装置４０と表現する。
【００４５】
医療情報格納部３５は、端末装置２０に送信しようとする健診結果等の医療情報データを、識別情報である患者ＩＤと対応付けて格納する。
【００４６】
この医療情報格納部３５に格納される医療情報の一例を図６に示す。図６に示す医療情報データ例では、患者ＩＤ、患者名、診察日、診療科とともに母子手帳に追加して更新すべき送信用データとが対応付けられているのが分かる。
【００４７】
そして、制御部３１は、ゲート５０内を通過中の端末装置２０に記憶されている患者ＩＤ（識別情報）およびパスワード情報を取得して、パスワード情報が正しいことを確認した後に、取得した患者ＩＤに対応したデータを医療情報格納部３５から読み出して端末装置２０に送信するよう無線送受信部１４ａ〜１４ｄを制御する。
【００４８】
例えば、制御部３１は、ゲート５０を通過中の端末装置２０から取得した患者ＩＤが「12369801」であった場合、医療情報格納部３５からこの患者ＩＤに対応付けられている「１２ケ月健診結果データ」を読み出して、ゲート５０を通過中の端末装置に送信する。
【００４９】
このように、本実施形態では、無線通信部１４ａ〜１４ｄを介して端末装置２０に送信するデータが、端末装置２０を所持しているユーザに関する医療情報である場合を用いて説明する。
【００５０】
また、無線通信部１４ａ〜１４ｄを介して端末装置２０に送信するデータに、単に健診結果等のデータだけでなく、端末装置２０を所持しているユーザに関する医療静止画像データまたは医療動画像データが含まれるようにしても良い。例えば、妊婦健診の結果情報に、胎児を撮像したエコー動画像データを含めて端末装置２０に転送したり、解像度の高い静止画像データを含めて端末装置２０に転送するようにしても良い。
【００５１】
本実施形態では、データ転送速度の速いＷｉＧｉｇ通信を用いてデータ転送が行われるため、端末装置２０を所持したユーザがゲート５０を通過する短時間においてもデータ容量の多いデータを転送することが可能である。
【００５２】
なお、ゲート５０を通過するユーザはゲート５０内のどこを通過するか特定できず、またどこに端末装置２０を保持しているのかを特定することができない。また、ＷｉＧｉｇ通信は使用する周波数が高いため直進性が強いので、アンテナ装置４０ａ〜４０ｄの向きに端末装置２０が存在するような状態でないと良好な通信を行うことができない。
【００５３】
そのため、制御部３１は、アンテナ方向変更装置１７ａ〜１７ｄによりアンテナ３６ａ〜３６ｄの向きを連続的に変化させることにより通信相手となる端末装置２０の方向を特定し、特定した方向にアンテナ３６ａ〜３６ｄが向くようアンテナ方向変更装置１７ａ〜１７ｄを制御する。
【００５４】
具体的には、制御部３１は、アンテナ方向変更装置１７ａ〜１７ｄによりアンテナ３６ａ〜３６ｄの向きをそれぞれ連続的に変化させながら問合せパケットを送信し、この問合せパケットを受信した端末装置２０からの返信パケットを受信するとアンテナ方向変更装置１７ａ〜１７ｄによるアンテナ３６ａ〜３６ｄの向きの変更を停止させる。
【００５５】
そして、制御部３１は、アンテナ装置４０ａ〜４０ｄのうちの、返信パケットを受信したアンテナ装置４０以外のアンテナ装置４０の動作を停止させて電波が送信されないようにする。そして、制御部３１は、返信パケットを受信したアンテナ装置４０およびそのアンテナ装置４０に接続されている無線通信部１４を介して、ＷｉＧｉｇ回線により端末装置２０に医療情報を送信する。
【００５６】
次に、本実施形態の医療情報転送システム１０の動作を図面を参照して詳細に説明する。
【００５７】
先ず、本実施形態の医療情報転送システム１０における動作を図７のフローチャートを参照して説明する。
制御部３１は、ゲート５０に設置されたアンテナ装置４０ａ〜４０ｄに対して、それぞれ、アンテナ方向変更装置１７ａ〜１７ｄによりアンテナ３６ａ〜３６ｄの向きを連続的に変化させてゲート５０内の端末装置２０の探索を行う（ステップＳ１０１）。
【００５８】
そして、制御部３１は、このようにアンテナ３６ａ〜３６ｄの方向を変化させた探索動作を行いつつ、ゲート５０内の端末装置２０の存在を確認するための問い合わせパケットを、無線通信部１４ａ〜１４ｄを介してアンテナ３６ａ〜３６ｄから送信する（ステップＳ１０２）。
【００５９】
ここで、制御部３１は、端末装置２０から返信された返信パケットが受信されない場合（ステップＳ１０３においてｎｏ）、アンテナ３６ａ〜３６ｄの方向を変化させつつ問合せパケットの送信を継続する（ステップＳ１０２）。
【００６０】
そして、制御部３１は、この問合せパケットを受信した端末装置２０から返信された返信パケットが受信された場合（ステップＳ１０３においてｙｅｓ）、アンテナ装置４０ａ〜４０ｄにおけるそれぞれのアンテナ３６ａ〜３６ｄの連続的な向き変更動作を停止させる（ステップＳ１０４）。
【００６１】
さらに、制御部３２は、返信パケットを受信したアンテナ装置４０以外のアンテナ装置４０からの電波の送信動作を停止させる（ステップＳ１０５）。
【００６２】
例えば、図８に示すように、アンテナ装置４０ｂのアンテナ３６ｂにおいて返信パケットが受信された場合、このアンテナ装置４０ｂ以外のアンテナ装置４０ａ、４０ｃ、４０ｄからの電波の送信動作を停止する。
【００６３】
そして、制御部３１は、図８に示すように、返信パケットを受信したアンテナ装置４０ｂを介して、端末装置２０にＷｉＧｉｇ回線により健診結果等の医療情報を送信する（ステップＳ１０６）。なお、端末装置２０に医療情報を送信している間は、例えば、図８に示すように、ＬＥＤランプ６０を点灯させてデータが転送中であることが分かるようにしても良い。
【００６４】
そして、制御部３１は、端末装置２０に送信済みの医療情報を医療情報格納部３５から削除する（ステップＳ１０７）。
【００６５】
次に、図７のフローチャートのステップＳ１０６において説明した端末装置２０への医療情報の送信処理の詳細について図９のフローチャートを参照して説明する。
【００６６】
制御部３１は、ゲート５０を通過中の端末装置２０と通信を行うことにより、この端末装置２０から患者ＩＤとパスワード情報を取得する（ステップＳ２０１）。
【００６７】
すると、制御部３１は、取得したパスワード情報が、この患者ＩＤに対応して登録されたものと一致するか否かを判定することによりパスワード情報の確認を行う（ステップＳ２０２）。そして、パスワード情報が正しくない場合（ステップＳ２０３においてｎｏ）、制御部３１は、処理を終了する。
【００６８】
そして、パスワード情報が正しい場合（ステップＳ２０３においてｙｅｓ）、制御部３１は、この患者ＩＤに対応する医療情報を医療情報格納部３５から読み出し（ステップＳ２０４）、読み出した医療情報を端末装置２０に送信する（ステップＳ２０５）。
【００６９】
このようにしてゲート５０を通過することにより健診結果が端末装置２０に送信されて、母子手帳の情報が更新される様子の一例を図１０に示す。
【００７０】
図１０では、端末装置２０に記憶されている母子手帳の情報が更新されて乳児の体重と身長のデータが更新される様子が示されている。
【００７１】
このように本実施形態の医療情報転送システム１０によれば、ユーザである母親は端末装置２０をバッグ等に入れたまま会計時にゲート５０を通過するだけで、端末装置２０内の母子手帳データに、その日受診した健診結果の情報が追加されることになる。
【００７２】
そして、本実施形態の医療情報転送システム１０では、指向性が鋭いミリ波高速無線通信によりデータの送信が行われるため、ゲート５０内を通過しないと電波を受信することは難しい。そのため、他人が電波を傍受してデータ内容を取得するようなことを行うことは、広い範囲で電波を受信可能な一般的な無線ＬＡＮ等と比較して難しく、本実施形態によってセキュリティ性の高いデータ転送が実現される。
【００７３】
[変形例]
上記実施形態では、乳幼児健診等の健診情報を、母子手帳として機能するスマホ等の端末装置に転送する場合を用いて説明したが、本発明はこれに限定されるものではない。例えば、スマホ等の端末装置を、薬の処方履歴を管理するためのお薬手帳として機能させ、端末装置に薬の処方履歴情報を医療情報として転送するような場合でも同様に本発明を適用することができるものである。
【００７４】
また、本発明は、医療情報を端末装置に送信する場合だけでなく、医療情報以外の他の情報を端末装置に送信するようなデータ送信システムに対しても同様に適用することができるものである。
【符号の説明】
【００７５】
１０    医療情報転送システム
１１    ＣＰＵ
１２    メモリ
１３    記憶装置
１４、１４ａ〜１４ｄ    無線通信部（ＷｉＧｉｇ）
１５    ユーザインタフェース（ＵＩ）装置
１７、１７ａ〜１７ｄ    アンテナ方向変更装置
１８    制御バス
２０    端末装置
３１    制御部
３５    医療情報格納部
３６ａ〜３６ｄ    アンテナ
４０ａ〜４０ｄ    アンテナ装置
５０    ゲート
６０    ＬＥＤランプ
【図１】
2018163485.tif 000003
【図２】
2018163485.tif 000004
【図３】
2018163485.tif 000005
【図４】
2018163485.tif 000006
【図５】
2018163485.tif 000007
【図６】
2018163485.tif 000008
【図７】
2018163485.tif 000009
【図８】
2018163485.tif 000010
【図９】
2018163485.tif 000011
【図１０】
2018163485.tif 000012